(57)【要約】【課題】操作性の良好な貼付剤貼付用補助具を提供すること。【解決手段】本発明による貼付剤貼付用補助具（１０）は、貼付剤（１００）を保持する保持部（１２）と、保持部から延びるグリップ部（１４）とを備え、１枚のシート材から形成される。保持部は、シート材の第１部分（１６）と第２部分（２０）とから構成され、貼付剤はこれらの部分間に挟まれ、再剥離性の粘着部により一時的に保持される。グリップ部は、第２部分に折曲げ可能に連設されたシート材の第３部分からなり、このグリップ部を引っ張ることにより、保持部で保持された貼付剤を皮膚に徐々に貼り付けていくことができる。紙等のシート材から作られているため、軽量であり、操作性が良い。【選択図】図２
2019115571.tif 000002
【特許請求の範囲】
【請求項１】
粘着剤層を裏面に有する支持体、及び前記粘着剤層の表面に剥離可能に付着された剥離シートから構成されている貼付剤であり、前記剥離シートに少なくとも１本の切断線が形成されている前記貼付剤を保持する保持部と、前記保持部から延びるグリップ部とを備える貼付剤貼付用補助具であって、
当該貼付剤貼付用補助具は、前記保持部となる互いに隣接する第１部分及び第２部分と、前記グリップ部となる第３部分とを有する１枚のシート材から形成されており、
前記第２部分は前記第１部分に第１の折り線を介して折曲げ可能に連設されており、
前記第３部分は前記第２部分に、前記第１部分とは反対側に、第２の折り線を介して折曲げ可能に連設されており、
前記第１部分の一方の面は、前記貼付剤が載置される載置面となっており、
前記第１部分の前記載置面には再剥離性の第１の粘着部が設けられており、
前記第１の粘着部は、前記貼付剤が前記載置面に載置された場合に前記貼付剤の前記支持体に剥離可能に付着するようになっており、
前記第２部分は、前記第１の折り線に沿って所定の方向に折り曲げられた場合に前記第１部分の前記載置面に接するようになっており、
前記第２部分の、前記載置面と接する面には、再剥離性の第２の粘着部が設けられており、
前記第２の粘着部は、前記貼付剤が前記載置面に所定の向きで載置され且つ前記第２部分が前記第１の折り線に沿って所定の方向に折り曲げられた場合に、前記貼付剤の前記剥離シートのうち前記切断線から前記第２部分側の縁部までの間の部分に剥離可能に付着するようになっている、貼付剤貼付用補助具。
【請求項２】
前記第３部分には複数の折り線が設けられており、これらの折り線に沿って前記第３部分を折り曲げることによって筒状とされるようになっており、該筒状を維持するための手段が設けられている、請求項１に記載の貼付剤貼付用補助具。
【請求項３】
２本の前記折り線がそれぞれ、前記第３部分の左右の各側縁部から当該貼付剤貼付用補助具の中心軸線に向かう部分を有し、この部分以外の部分が前記中心軸線に実質的に平行に延びている、請求項２に記載の貼付剤貼付用補助具。
【発明の詳細な説明】
【技術分野】
【０００１】
本発明は、貼付剤を所望の部位に貼付する際に使用する貼付剤貼付用補助具に関する。
【背景技術】
【０００２】
従来から、肩こり、腰痛、筋肉痛、筋肉疲労、関節痛等の改善を目的とした多様な貼付剤が流通している。これらの貼付剤は、通常、支持体と、その支持体の一方の面に設けられた、薬効成分を含有する粘着剤層と、粘着層剤の表面に剥離可能に付着された剥離シートとから構成されている。そして、使用時には、剥離シートを粘着剤層から剥がして粘着剤層を露出させ、貼付部位に貼付するようになっている。
【０００３】
しかしながら、貼付剤は、一般に柔軟であり取り扱いにくく、シワになりやすいという問題がある。また、特に肩や肩甲骨周辺部に貼付剤を貼付剤使用者が一人で貼ろうとすることは極めて困難である。
【０００４】
そこで、従来においては、例えば下記特許文献１に記載されているような貼付剤貼付用補助具が提案されている。特許文献１に記載の貼付剤貼付用補助具は、特許文献１の図５に示されるように、貼付剤が載置され保持される保持板と、保持板に接続された湾曲棒状のグリップとから構成されている。保持板の表面には粘着部が設けられており、使用に際しては、この粘着部に貼付剤を付着させて保持し、剥離シートを取り除いた後、グリップを操作して貼付剤使用者の肩甲骨周辺等の所望の部位に貼付剤を貼り付けるのである。
【先行技術文献】
【特許文献】
【０００５】
【特許文献１】特開２０１４−１０８３３３号公報
【発明の概要】
【発明が解決しようとする課題】
【０００６】
この特許文献１に開示されているような従来の貼付剤貼付用補助具にあっては、補助具全体の重量が比較的大きく、操作しづらいという問題がある。また、貼付剤を保持するための粘着部の粘着性は、使用するたびに低下するため、長期にわたりこの補助具を使用し続けることは困難であった。
【０００７】
そこで、本発明は、前述した問題を解消することができる貼付剤貼付用補助具を提供することを目的としている。
【課題を解決するための手段】
【０００８】
上記目的を達成するために、本発明によれば、貼付剤を保持する保持部と、前記保持部から延びるグリップ部とを備える、１枚のシート材からなる貼付剤貼付用補助具が提供される。この貼付剤貼付用補助具に用いられる貼付剤は、粘着剤層を裏面に有する支持体、及び前記粘着剤層の表面に剥離可能に付着された剥離シートから構成されている貼付剤であり、剥離シートに少なくとも１本の切断線が形成されているものである。貼付剤貼付用補助具は、保持部となる互いに隣接する第１部分及び第２部分と、グリップ部となる第３部分とを有する１枚のシート材から形成されており、第２部分は第１部分に第１の折り線を介して折曲げ可能に連設されており、第３部分は第２部分に、第１部分とは反対側に、第２の折り線を介して折曲げ可能に連設されている。第１部分の一方の面は、貼付剤が載置される載置面となっており、第１部分の載置面には再剥離性の第１の粘着部が設けられており、第１の粘着部は、貼付剤が載置面に載置された場合に貼付剤の支持体に剥離可能に付着するようになっている。第２部分は、第１の折り線に沿って所定の方向に折り曲げられた場合に第１部分の載置面に接するようになっており、第２部分の、載置面と接する面には、再剥離性の第２の粘着部が設けられている。第２の粘着部は、貼付剤が載置面に載置され且つ第２部分が第１の折り線に沿って所定の方向に折り曲げられた場合に、貼付剤の剥離シートのうち剥離シートの切断線から第２部分側の縁部までの間の部分に剥離可能に付着するようになっている。
【０００９】
このような構成では、保持部となる第１部分と第２部分との間で貼付剤を保持することができ、貼付剤を所望の部位に貼り付けた後、グリップ部を引っ張るだけで、貼付剤を貼り付けることができる。
【００１０】
第３部分には複数の折り線が設けられており、これらの折り線に沿って第３部分を折り曲げることによって筒状とされることが、グリップ部として握り易くなるため好適である。
【００１１】
第３部分の折り線を２本とし、そのそれぞれが、第３部分の左右の各側縁部から当該貼付剤貼付用補助具の中心軸線に向かう部分を有し、その部分以外の部分が中心軸線に実質的に平行に延びるようにすることが好ましい。このような折り線に沿って第３部分を折り曲げることによって、グリップ部に傾斜面を形成することができる。この傾斜面によって保持部上の貼付剤を背中等の皮膚に平行に配置させ易くなる。
【発明の効果】
【００１２】
本発明による貼付剤貼付用補助具は、１枚の紙等のシート材から組み立てられるものであるため、補助具自体が軽量であり、取扱いが容易である。また、補助具の製作コストも安価となる。コストがかからないことから、粘着部の粘着性が劣化した場合に補助具を廃棄しても、使用者の負担も少ないものとなる。
【図面の簡単な説明】
【００１３】
【図１】本発明の一実施形態に係る貼付剤貼付用補助具の使用前の状態であって、貼付剤を保持する前の状態を示す斜視図である。
【図２】本発明の一実施形態に係る貼付剤貼付用補助具の使用前の状態であって、貼付剤を保持した直後の状態を示す斜視図である。
【図３】図１及び図２の貼付剤貼付用補助具の組立て前の状態を示す正面図である。
【図４】図１及び図２の貼付剤貼付用補助具の組立て前の状態を示す背面図である。
【図５】図１及び図２の貼付剤貼付用補助具の組立て前の状態を示す斜視図である。
【図６】本発明による貼付剤貼付用補助具を使用して貼付剤を貼付する方法を示す斜視図である。
【図７】本発明による貼付剤貼付用補助具を使用して貼付剤を貼付する方法を概略的に示す側面図である。
【図８】本発明による貼付剤貼付用補助具を使用して貼付剤を貼付する方法を概略的に示す側面図であり、図７に続く図である。
【図９】本発明による貼付剤貼付用補助具を使用して貼付剤を貼付する方法を概略的に示す側面図であり、図８に続く図である。
【発明を実施するための形態】
【００１４】
以下、図面を参照しながら、本発明による貼付剤貼付用補助具（以下、単に「補助具」とも称する）の好適な実施形態について詳細に説明する。尚、図中、同一又は相当部分には同一符号を付し、その詳細な説明は省略する。
【００１５】
図１〜図５は、本発明の一実施形態による貼付剤貼付用補助具１０を示している。図１及び図２に示すように、補助具１０は、貼付剤１００を保持する保持部１２と、この保持部１２から一体的に延びるグリップ部１４とから構成されている。なお、図示実施形態で使用する貼付剤１００は、薬効成分を含有する粘着剤層１１０（図２参照）が一方の面に設けられた矩形形状の支持体１２０と、粘着剤層１１０上に剥離可能に付着された剥離シート１３０とから構成されており、剥離シート１３０は、短辺に沿って延びる２本の波形の切断線（弱化線）１４０，１５０によって３つの部分剥離シート１３０ａ，１３０ｂ，１３０ｃに分割して剥離することが可能となっている。
【００１６】
図３〜図５は、それぞれ、貼付剤貼付用補助具１０の組立て前の状態を示す正面図、背面及び斜視図である。これらの図から理解されるとおり、補助具１０は、紙やプラスチック、好ましくポリプロピレン等で表面処理された厚紙からなる折曲げ可能な１枚シート材から形成され、組立て前にあっては平坦状となっている。紙等のシート材からなるため、この補助具１０は軽量であり、嵩も張らず、使用しない時の収納等に便利である。また、このシート材は、貼付剤１００を保持することができる程度の剛性を有すると共に、貼付剤１００を皮膚にある程度の力を持って押し付けることができるよう適度な弾性を有することが好適である。
【００１７】
図３〜図５に示す状態の貼付剤貼付用補助具１０は、軸線Ａの方向に長い形状となっている。以下、この軸線Ａを中心軸線という。図示実施形態において、補助具１０は３つの部分、すなわち中心軸線Ａの一端側（図３の左側）の部分（以下「第１部分」と称する）１６と、この第１部分１６に第１の折り線１８を介して折曲げ可能に連設された中間の部分（以下「第２部分」と称する）２０と、第２部分２０に第１の折り線１８と平行な第２の折り線２２を介して折曲げ可能に連設された他端側（図３の右側）の部分（以下「第３部分」と称する）２４とから構成されている。
【００１８】
第１部分１６及び第２部分２０は、図１及び図２のように組み立てられた後は貼付剤１００を保持する保持部１２となるものである。特に、第１部分１６は保持部１２のメイン部分となるものであり、図示実施形態では平坦な略矩形形状となっている。第１部分１６の一方の面（図３で見える側の面であり、以下、便宜的にこの面を第２部分２０及び第３部分２４の同側の面も含めて「表面」という）は、貼付剤１００を載置するための載置面２６となっている。なお、図４等に示すように、第１部分１６の自由縁部からシート材を延長し、その延長部分１７を折り返して第１部分１６の裏面に接着することが、載置面２６の平坦性を維持するために好ましい。
【００１９】
第１部分１６の載置面２６の長さ（中心軸線Ａに平行な方向の長さ）と幅（中心軸線Ａに直交する方向Ｂの長さ）とは、それぞれ、この貼付剤貼付用補助具１０に使用され得る貼付剤１００を適正な向き及び位置で載置面２６に載置した状態でその貼付剤１００全体を載置面２６内に収める大きさとされている。なお、貼付剤１００を載置するときの適正な位置及び向きとは、貼付剤１００の長手方向軸線と第１部分１６の中心軸線Ａとが実質的に一致し、且つ貼付剤１００の支持体が第１部分１６側となる位置及び向きをいう。
【００２０】
また、第１部分１６の載置面２６には、貼付剤１００の支持体に剥離可能に一時的に付着される第１の粘着部２８が設けられている。第１の粘着部２８は、再剥離性の粘着剤を載置面２６に塗布して形成したものが考えられるが、一面が再剥離性粘着剤となっている両面テープを載置面２６に貼り付けたものでもよい。第１の粘着部２８は、第１部分１６の自由縁部近傍に設けられており、本実施形態では、細長い矩形をなしている。なお、第１の粘着部２８は、少なくとも第１部分１６の自由縁部の近傍に配置されることが好ましいと考えられるが、これに限定されるものではなく、例えば載置面２６全体に広がる形状のようなものとしてもよい。
【００２１】
第１部分１６に第１の折り線１８を介して連設されている第２部分２０は、その表面を第１部分１６の表面（載置面２６）に接する位置まで第１の折曲げ線１８に沿って折り曲げることができる。第２部分２０をこのように折り曲げると、第２部分２０は、載置面２６上に適正な位置及び向きで載置され保持された貼付剤１００を第１部分１６との間で挟み、貼付剤１００の剥離シート１３０と接することになる。
【００２２】
第２部分２０の幅（方向Ｂの長さ）は第１部分１６の幅と同等とされている。一方、第２部分２０の長さは、図示実施形態の貼付剤貼付用補助具１０に使用される貼付剤１００に応じて適宜変更されるものであり、図１に示す２本の切断線１４０，１５０を有する貼付剤１００の場合、その貼付剤１００を載置面２６に適正な向き及び位置で載置した状態において、第２部分２０は、剥離シート１３０の中央の部分剥離シート１３０ｂと第２部分２０側の部分剥離シート１３０ｃとのみに接するよう長さが定められる。
【００２３】
第２部分２０の表面には、第２の粘着部３０が設けられている。この粘着部３０は貼付剤１００の部分剥離シート１３０ｂ，１３０ｃに剥離可能に一時的に付着されるものであるが、第２部分２０を第１部分１６から離す方向に移動させたときに、第２の粘着部３０に付着された部分剥離シート１３０ｂ，１３０ｃを貼付剤１００の粘着剤層１１０から引き剥がすことができる程度の粘着力を有する必要がある。第２の粘着部３０も、第１の粘着部２８と同様に、再剥離性の粘着剤を第２部分２０の表面に塗布して形成したものが考えられるが、一面が再剥離性粘着剤となっている両面テープを貼り付けたものでもよい。
【００２４】
なお、図示実施形態では、第２の粘着部３０は、第２部分２０の一方の側縁部から他方の側縁部まで概ね延びる細長の形状となっているが、貼付剤１００の部分剥離シート１３０ｂ，１３０ｃを剥離することができるならば、その形状や位置は限定的なものではない。
【００２５】
第２部分２０に第２の折り線２２を介して折曲げ可能に連設された第３部分２４は、図１及び図２のように組み立てられた後は使用者が握って貼付剤貼付用補助具１０を操作するためのグリップ部１４となるものである。そのため、第３部分２４の長さは手の平の幅等を考慮して比較的長い形状となっている。
【００２６】
この第３部分２４は、第２の折り線２２に沿って第２部分２０の折曲げ方向とは反対の方向に折り曲げられ、第３部分２４の裏面と第２部分２０の裏面同士が接するようになっている。したがって、第２部分２０及び第３部分２４をそれぞれ第１及び第２の折り線１８，２２に沿って折り曲げると、第１部分１６、第２部分２０及び第３部分２４はＺ状に折り畳まれる（図２参照）。この折り畳まれた状態では、第３部分２４の、第２の折り線２２に沿う縁部周辺の表面を押圧すると、その押圧力は第２部分２０から第２の粘着部３０、そして第１部分１６へと伝えられる。したがって、貼付剤１００が第１部分１６と第２部分２０との間で挟まれた状態で第３部分２４を押圧すると、第２の粘着部３０を貼付剤１００の剥離シート１３０に押し付けることができ、第２の粘着部３０と剥離シート１３０との間の付着力を高めることができる。
【００２７】
第３部分２４には、中心軸線Ａを挟んで２本の折り線３２，３４が形成されている。各折り線３２，３４は、第３部分２４の各側縁部の角部を起点として、中心軸線Ａに向かう方向且つ第３部分２４の自由縁部に向かう方向に延びている。そして、適当な位置から各折り線３２，３４は屈曲し、中心軸線Ａと平行な方向に、第３部分２４の自由縁部に向かって延びている。各折り線３２，３４の屈曲点からは方向Ｂに沿って外方に延びる折り線３６，３８が形成されている。さらに、第３部分２４の各側縁部には折り線４０，４２を介して突出部分４４，４６が形成されている。
【００２８】
折り線３２，３４，４０，４２に沿って第３部分２４を、表面側の方向に折り曲げると、図１及び図２に示すような角筒状部分が形成され、この角筒状部分を手で把持するためのグリップ部１４として使用することが可能となる。
【００２９】
また、内側の折り線３２，３４に沿って第３部分２４を折り曲げると、折り線３２，３４は屈曲点までの部分が斜めとなっているため、第２部分２０から続く折り線３２，３４間の台形の領域４８が表面側に、折り線３６，３８に沿って屈曲され、傾斜面となる。このような傾斜面４８が設けられることによって、肩、特に肩甲骨周辺部に貼付剤貼付用補助具１０の保持部１２を配すると、保持部１２に保持された貼付剤１００が背中の皮膚表面と平行となり易く、貼付が容易となる効果がある。
【００３０】
なお、この台形の領域４８の外側では、折り線３２，３４の外側の領域が立上り壁５０となるため、第２部分２０に隣接する側縁部周辺の空間が狭くなり、そこに指を挿入して第２の粘着部３０に押圧力を加えることが難しくなる。そこで、本実施形態では、第２部分２０に隣接する第３部分２４の側縁部を第２部分２０側に延長し、この延長部５２を指で押圧できるようにしている。
【００３１】
第３部分２４の一方の突出部分４４の側縁部には凸状の第１の係止片５４が形成されている。この第１の係止片５４を、他側の折り線４２に形成されたスリット５６に挿入することで、グリップ部１４の角筒状態を維持することが可能となる。さらに、図示実施形態では、第３部分２４に、スリット５６を跨ぐ第２の係止片５８を形成し、この係止片５８を、第１の係止片５４の折り線上に形成されたスリット６０に挿入できるようにしている。これによって、ダブルロックが可能となり、角筒状態をより一層確実に維持することができる。なお、角筒状態を維持するためには、接着剤で固定する等、種々の周知手段を適用することが可能なことは言うまでもない。
【００３２】
次に、上述したような構成の貼付剤貼付用補助具１０の作用及び使用方法について、図６〜図９も参照して説明する。
【００３３】
まず、図１及び図２に示すように、第３部分２４を折り線３２〜４２に沿って折り曲げて角筒状態とした後、２つの係止片５４，５８を対応のスリット５６，６０に挿入してグリップ部１４を形成する。
【００３４】
この後、第１部分１６を第２部分２０から引き延ばした状態のまま（図１参照）、第１部分１６の載置面２６上に貼付剤１００を適正な向き及び位置で配置し、貼付剤１００の支持体１２０を第１の粘着部２８に付着させる。そして、第２部分２０を第１部分１６に被さるように第１の折り線１８に沿って折り曲げ、第２部分２０の折り線１８側の縁部周辺を押して第２の粘着部３０を剥離シート１３０に押し付け、付着させる（図２参照）。この状態では、貼付剤１００における剥離シート１３０の外側の部分剥離シート１３０ａは露出しているため、使用者はその部分剥離シート１３０ａを摘まんで貼付剤１００から剥離することができる。この剥離作業は、貼付剤１００が第１の粘着部２８に付着されているので、容易に行うことができる。
【００３５】
次いで、使用者は、図６及び図７に示すように、グリップ部１４を握って貼付剤貼付用補助具１０を操作して、例えば肩甲骨周辺などの手の届きにくい部位に補助具１０の保持部１２を移動させ、保持部１２上の貼付剤１００における露出した粘着剤層１１０を所望の部位の皮膚に貼り付ける。
【００３６】
この状態からグリップ部１４を保持部１２から離れる方向に引っ張ると、第２部分２０は第１部分１６から離れるように第１の折り線１８を中心として回動すると共に、第３部分２４は第２部分２０から離れるように第２の折り線２２を中心として回動する（図８参照）。この際、貼付剤１００の露出した粘着剤層１１０は皮膚に付着しており、且つ、第２部分２０の第２の粘着部３０は貼付剤１００の残っている２つの部分剥離シート１３０ｂ，１３０ｃに付着しているので、徐々にこれらの部分剥離シート１３０ｂ，１３０ｃは剥がれつつ、粘着剤層１１０の全体が皮膚に付着していく。このように粘着剤層１１０が徐々に皮膚に貼付されていくので、貼付剤１００全体を一度に貼付する場合に比して、貼付剤１００の位置の微調整が可能となる。
【００３７】
なお、グリップ部１４は、保持部１２から離れる方向に直線的に引っ張られるだけではなく、例えばねじり動作もできることが貼付剤１００の貼付に有効であるため、本実施形態では、第２の折り線２２に沿う第２部分２０に１つ以上のスリット（図４の符号６２）を形成することが好ましい。これによって、第３部分２４と第２部分２０との間の接続箇所が短くなり、保持部１２とのグリップ部１４との間の動きの自由度が増すこととなる。
【００３８】
貼付剤１００の粘着剤層１１０全体が皮膚に貼付された後もグリップ部１４を引き続けると、貼付剤１００の支持体１２０から第１の粘着部２８が離れ、これにより貼付作業が完了する（図９参照）。この貼付作業の間、補助具１０は紙等から形成されて軽量であるので、その操作は容易となる。
【００３９】
また、第１及び第２の粘着部２８，３０の粘着性は１０枚前後の貼付剤１００の使用によって劣化するが、貼付剤貼付用補助具１０は紙等からなるため安価に製造、入手することができるので、廃棄したとしてもその負担は少ないものとなる。
【００４０】
以上、本発明の好適な実施形態について詳細に説明したが、本発明は上記実施形態に限定されないことは言うまでもない。例えば、上記実施形態では、波形の切断線１４０，１５０が２本入っている貼付剤１００を用いて説明したが、切断線が１本のみの貼付剤にも本願発明の貼付剤貼付用補助具１０は適用可能である。その場合、第２の粘着部３０は、保持部１２に保持された貼付剤の、グリップ部１４側の部分剥離シートのみに付着されるように配置されることとなる。
【００４１】
また、第１部分１６、第２部分２０及び第３部分２４は概ね矩形形状となっているが、形状は矩形に限定されるものではない。
【００４２】
さらに、グリップ部１４は折り線３２〜４２に沿って折り曲げることで角筒形状をなしているが、角筒である必要はなく、折り線を設けずに丸筒を形成するような構成としてもよい。また、第３部分２４は、平板状のままでもグリップ部１４として用いることも可能である。
【符号の説明】
【００４３】
１０…貼付剤貼付用補助具、１２…保持部、１４…グリップ部、１６…第１部分、１８…第１の折り線、２０…第２部分、２２…第２の折り線、２４…第３部分、２６…載置面、２８…第１の粘着部、３０…第２の粘着部、３２，３４，３６，３８，４０，４２…折り線、４４，４６…突出部分、４８…台形領域、５０…立上り壁、５２…延長部、５４…第１の係止片、５６…スリット、５８…第２の係止片、６０…スリット、６２…開口、１００…貼付剤、１１０…粘着剤層、１２０…支持体、１３０…剥離シート、１３０ａ，１３０ｂ，１３０ｃ…部分剥離シート、１４０，１５０…切断線。
【図１】
2019115571.tif 000003
【図２】
2019115571.tif 000004
【図３】
2019115571.tif 000005
【図４】
2019115571.tif 000006
【図５】
2019115571.tif 000007
【図６】
2019115571.tif 000008
【図７】
2019115571.tif 000009
【図８】
2019115571.tif 000010
【図９】
2019115571.tif 000011
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
粘着剤層を裏面に有する矩形形状の支持体、及び前記粘着剤層の表面に剥離可能に付着された剥離シートから構成されている貼付剤であり、前記支持体の短辺に沿って前記剥離シートに少なくとも１本の切断線が形成されている前記貼付剤を保持する保持部と、前記保持部から延びるグリップ部とを備える貼付剤貼付用補助具であって、
当該貼付剤貼付用補助具は、前記保持部となる互いに隣接する第１部分及び第２部分と、前記グリップ部となる第３部分とを有する１枚のシート材から形成されており、
前記第２部分は前記第１部分に第１の折り線を介して折曲げ可能に連設されており、
前記第３部分は前記第２部分に、前記第１部分とは反対側に、第２の折り線を介して折曲げ可能に連設されており、
前記第１部分の一方の面は、前記貼付剤が載置される載置面となっており、
前記第１部分の前記載置面には再剥離性の第１の粘着部が設けられており、
前記第１の粘着部は、前記貼付剤が前記載置面に載置された場合に前記貼付剤の前記支持体に剥離可能に付着するようになっており、
前記第２部分は、前記第１の折り線に沿って所定の方向に折り曲げられた場合に前記第１部分の前記載置面に接するようになっており、
前記第２部分の、前記載置面と接する面には、再剥離性の第２の粘着部が設けられており、
前記貼付剤の前記支持体が前記載置面に接するように且つ前記貼付剤の短辺が前記第１の折り線と平行になるように前記貼付剤が前記載置面に載置された状態において、前記第２の粘着部は、前記第２部分が前記第１の折り線に沿って所定の方向に折り曲げられた場合に、前記貼付剤の前記剥離シートのうち前記切断線から前記第２部分側の縁部までの間の部分に剥離可能に付着するようになっている、貼付剤貼付用補助具。
【請求項２】
前記第３部分には複数の折り線が設けられており、これらの折り線に沿って前記第３部分を折り曲げることによって筒状とされるようになっており、該筒状を維持するための手段が設けられている、請求項１に記載の貼付剤貼付用補助具。
【請求項３】
２本の前記折り線がそれぞれ、前記第３部分の左右の各側縁部から当該貼付剤貼付用補助具の中心軸線に向かう部分を有し、この部分以外の部分が前記中心軸線に実質的に平行に延びている、請求項２に記載の貼付剤貼付用補助具。